(57)【要約】【課題】  この発明は、ディスプレイの焼付き寿命を延ばすことができる表示装置を提供することを目的とする。【解決手段】  表示輝度および表示時間に応じて発光輝度劣化を起こすようなディスプレイを有しており、入力映像に固定パターンを合成して表示する機能を備えた表示装置において、固定パターンの画像データを保持している記憶手段、および記憶手段に保持されている固定パターンの画像データを表示させる際には、入力映像信号と固定パターンの画像データとに基づいて、固定パターンの画像データを補正する補正手段を備えている。【選択図】  図５
2005283909.tif 000002
【特許請求の範囲】
【請求項１】
表示輝度および表示時間に応じて発光輝度劣化を起こすようなディスプレイを有しており、入力映像に固定パターンを合成して表示する機能を備えた表示装置において、
固定パターンの画像データを保持している記憶手段、および
記憶手段に保持されている固定パターンの画像データを表示させる際には、入力映像信号と固定パターンの画像データとに基づいて、固定パターンの画像データを補正する補正手段、
を備えていることを特徴とする表示装置。
【請求項２】
αを係数とし、Ａｉｎを固定パターンの画像データとし、Ｙｉｎを入力映像データとすると、補正手段は、｛α×Ａｉｎ＋（１−α）×Ｙｉｎ｝の演算によって、固定パターンの画像データを補正するものであることを特徴とする請求項１に記載の表示装置。
【請求項３】
係数αを固定パターン近傍の背景画像の映像信号レベルに応じて制御する係数値制御手段を備えていることを特徴とする請求項２に記載の表示装置。
【請求項４】
係数αを１画面分の入力映像信号の平均値に応じて制御する係数値制御手段を備えていることを特徴とする請求項２に記載のディスプレイを備えた表示装置。    
【請求項５】
係数αを外光輝度に応じて制御する係数値制御手段を備えていることを特徴とする請求項２に記載の表示装置。
【請求項６】
補正手段は、
固定パターン近傍の背景画像の映像信号レベルが予め定められた閾値未満であるか閾値以上であるかを判別する判別手段、および
αを係数とし、Ａｉｎを固定パターンの画像データとし、Ｙｉｎを入力映像データとすると、固定パターン近傍の背景画像の映像信号レベルが閾値未満であるときには、｛α×Ａｉｎ＋（１−α）×Ｙｉｎ｝の演算によって固定パターンの画像データを補正し、固定パターン近傍の背景画像の映像信号レベルが閾値以上であるときには、｛−α×Ａｉｎ＋（１−α）×Ｙｉｎ｝の演算によって固定パターンの画像データを補正する手段、
を備えていることを特徴とする請求項１に記載の表示装置。
【請求項７】
補正手段は、
１画面分の入力映像信号の平均値が予め定められた閾値未満であるか閾値以上であるかを判別する判別手段、および
αを係数とし、Ａｉｎを固定パターンの画像データとし、Ｙｉｎを入力映像データとすると、１画面分の入力映像信号の平均値が閾値未満であるときには、｛α×Ａｉｎ＋（１−α）×Ｙｉｎ｝の演算によって固定パターンの画像データを補正し、１画面分の入力映像信号の平均値が閾値以上であるときには、｛−α×Ａｉｎ＋（１−α）×Ｙｉｎ｝の演算によって固定パターンの画像データを補正する手段を備えていることを特徴とする請求項１に記載の表示装置。
【請求項８】
補正手段は、
固定パターン近傍の背景画像の映像信号レベルが予め定められた閾値未満であるか閾値以上であるかを判別する判別手段、および
α，γを係数とし、Ａｉｎを固定パターンの画像データとし、Ｙｉｎを入力映像データとすると、固定パターン近傍の背景画像の映像信号レベルが閾値未満であるときには、｛α×Ａｉｎ＋γ×Ｙｉｎ｝の演算によって固定パターンの画像データを補正し、固定パターン近傍の背景画像の映像信号レベルが閾値以上であるときには、｛−α×Ａｉｎ＋γ×Ｙｉｎ｝の演算によって固定パターンの画像データを補正する手段、
を備えていることを特徴とする請求項１に記載の表示装置。
【請求項９】
補正手段は、
１画面分の入力映像信号の平均値が予め定められた閾値未満であるか閾値以上であるかを判別する判別手段、および
α，γを係数とし、Ａｉｎを固定パターンの画像データとし、Ｙｉｎを入力映像データとすると、１画面分の入力映像信号の平均値が閾値未満であるときには、｛α×Ａｉｎ＋γ×Ｙｉｎ｝の演算によって固定パターンの画像データを補正し、１画面分の入力映像信号の平均値が閾値以上であるときには、｛−α×Ａｉｎ＋γ×Ｙｉｎ｝の演算によって固定パターンの画像データを補正する手段を備えていることを特徴とする請求項１に記載の表示装置。
【発明の詳細な説明】
【技術分野】
【０００１】
この発明は、有機ＥＬパネル、無機ＥＬパネル、ＰＤＰ等のように、表示輝度および表示時間に応じて発光輝度劣化を起こすようなディスプレイを有しており、入力映像に固定パターンを合成して表示する機能を備えた表示装置に関する。
【背景技術】
【０００２】
有機ＥＬ素子では、駆動電流量および表示時間に応じて、発光輝度が低下する。このため、有機ＥＬパネルを表示パネルとして用いたデジタルカメラや携帯型電話機等において、アイコンのような同一映像を表示させ続けた場合、焼き付き現象が発生するという問題がある。
【０００３】
図１は、背景等の低輝度の画像を表示し続けた場合の有機ＥＬ素子の劣化特性ＳＬと、文字等の高輝度の画像を表示し続けた場合の有機ＥＬ素子の劣化特性ＳＨとを示している。
【０００４】
図２（ａ）に示すように、任意の背景Ｈ中に文字Ｍ（固定パターン、アイコン）が表示される場合を想定する。この例では、階調が８ビットで表される場合（階調が高いほど輝度が高い）、文字部分Ｍの輝度は１９２階調である。背景部分Ｈの輝度は様々な階調となるが、この例では６４階調である。
【０００５】
背景部分Ｈには、様々な映像が表示されると仮定すれば、平均輝度の大小はあるにしても、概ねベタ映像になると考えられる。このような固定パターンが長期にわたって表示され続けた後に、全白映像を表示した場合、文字Ｍが表示されていた画素の輝度劣化が背景Ｈが表示されていた画素の輝度劣化に比べて大きいため、図２（ｂ）に示すように、文字Ｍが表示されていた画素ＭＧの輝度が例えば６４階調のときと同程度の輝度となるのに対して、背景Ｈが表示されていた画素ＨＧの輝度が１９２階調のときと同程度の輝度になり、文字部分が焼き付き映像として視認されてしまう。
【０００６】
なお、図１に示すように、近接する２つの画素の劣化率の差が、焼付き現象が視認されるようになる限界幅（焼付き視認限界幅）に達するまでの期間を、焼付き寿命と呼んでいる。
【発明の開示】
【発明が解決しようとする課題】
【０００７】
この発明は、ディスプレイの焼付き寿命を延ばすことができる表示装置を提供することを目的とする。
【課題を解決するための手段】
【０００８】
請求項１に記載の発明は、表示輝度および表示時間に応じて発光輝度劣化を起こすようなディスプレイを有しており、入力映像に固定パターンを合成して表示する機能を備えた表示装置において、固定パターンの画像データを保持している記憶手段、および記憶手段に保持されている固定パターンの画像データを表示させる際には、入力映像信号と固定パターンの画像データとに基づいて、固定パターンの画像データを補正する補正手段を備えていることを特徴とする。
【０００９】
請求項２に記載の発明は、請求項１に記載の発明において、αを係数とし、Ａｉｎを固定パターンの画像データとし、Ｙｉｎを入力映像データとすると、補正手段は、｛α×Ａｉｎ＋（１−α）×Ｙｉｎ｝の演算によって、固定パターンの画像データを補正するものであることを特徴とする。
【００１０】
請求項３に記載の発明は、請求項２に記載の発明において、係数αを固定パターン近傍の背景画像の映像信号レベルに応じて制御する係数値制御手段を備えていることを特徴とする。
【００１１】
請求項４に記載の発明は、請求項２に記載の発明において、係数αを１画面分の入力映像信号の平均値に応じて制御する係数値制御手段を備えていることを特徴とする。
【００１２】
請求項５に記載の発明は、請求項２に記載の発明において、係数αを外光輝度に応じて制御する係数値制御手段を備えていることを特徴とする。
【００１３】
請求項６に記載の発明は、請求項１に記載の発明において、補正手段は、固定パターン近傍の背景画像の映像信号レベルが予め定められた閾値未満であるか閾値以上であるかを判別する判別手段、およびαを係数とし、Ａｉｎを固定パターンの画像データとし、Ｙｉｎを入力映像データとすると、固定パターン近傍の背景画像の映像信号レベルが閾値未満であるときには、｛α×Ａｉｎ＋（１−α）×Ｙｉｎ｝の演算によって固定パターンの画像データを補正し、固定パターン近傍の背景画像の映像信号レベルが閾値以上であるときには、｛−α×Ａｉｎ＋（１−α）×Ｙｉｎ｝の演算によって固定パターンの画像データを補正する手段を備えていることを特徴とする。
【００１４】
請求項７に記載の発明は、請求項１に記載の発明において、補正手段は、１画面分の入力映像信号の平均値が予め定められた閾値未満であるか閾値以上であるかを判別する判別手段、およびαを係数とし、Ａｉｎを固定パターンの画像データとし、Ｙｉｎを入力映像データとすると、１画面分の入力映像信号の平均値が閾値未満であるときには、｛α×Ａｉｎ＋（１−α）×Ｙｉｎ｝の演算によって固定パターンの画像データを補正し、１画面分の入力映像信号の平均値が閾値以上であるときには、｛−α×Ａｉｎ＋（１−α）×Ｙｉｎ｝の演算によって固定パターンの画像データを補正する手段を備えていることを特徴とする。
【００１５】
請求項８に記載の発明は、請求項１に記載の発明において、補正手段は、固定パターン近傍の背景画像の映像信号レベルが予め定められた閾値未満であるか閾値以上であるかを判別する判別手段、およびα，γを係数とし、Ａｉｎを固定パターンの画像データとし、Ｙｉｎを入力映像データとすると、固定パターン近傍の背景画像の映像信号レベルが閾値未満であるときには、｛α×Ａｉｎ＋γ×Ｙｉｎ｝の演算によって固定パターンの画像データを補正し、固定パターン近傍の背景画像の映像信号レベルが閾値以上であるときには、｛−α×Ａｉｎ＋γ×Ｙｉｎ｝の演算によって固定パターンの画像データを補正する手段を備えていることを特徴とする。
【００１６】
請求項９に記載の発明は、請求項１に記載の発明において、補正手段は、１画面分の入力映像信号の平均値が予め定められた閾値未満であるか閾値以上であるかを判別する判別手段、およびα，γを係数とし、Ａｉｎを固定パターンの画像データとし、Ｙｉｎを入力映像データとすると、１画面分の入力映像信号の平均値が閾値未満であるときには、｛α×Ａｉｎ＋γ×Ｙｉｎ｝の演算によって固定パターンの画像データを補正し、１画面分の入力映像信号の平均値が閾値以上であるときには、｛−α×Ａｉｎ＋γ×Ｙｉｎ｝の演算によって固定パターンの画像データを補正する手段を備えていることを特徴とする請求項１に記載のディスプレイを備えた表示装置。
【発明の効果】
【００１７】
この発明によれば、ディスプレイの焼付き寿命を延ばすことができるようになる。
【発明を実施するための最良の形態】
【００１８】
以下、図３〜図１５を参照して、この発明を、有機ＥＬパネルを有しており、入力映像に固定パターンを合成して表示する機能を備えた表示装置に適用した場合の実施例について説明する。
【実施例１】
【００１９】
図３（ａ）に示すように、任意の背景中に文字等の固定パターン（アイコン）が表示される場合に、アイコンの画像データを、アイコンの画像データＡinと背景の画像データ（入力映像信号）Ｙinとを合成した値に補正することにより、アイコンに対する表示輝度を低減させる。これによって、アイコンが表示される部分の輝度劣化速度を遅くさせる。入力映像信号値が８ビットで表されているものとすると、図３（ａ）では、アイコンの画像データＡinは２５５であり、背景の画像データＹinは１２８である。なお、各固定パターン（アイコン）が表示される位置は、固定的に決まっているものとする。
【００２０】
アイコンの画像データをＡin，背景の画像データをＹin、アイコンの画像データの補正値をＡout とすると、Ａout は、次式（１）で表される。
【００２１】
Ａout ＝α×Ａin＋（１−α）×Ｙin      …（１）
【００２２】
αは、予め設定された補正係数であり、０より大きく１以下の値を取る。
【００２３】
α＝０．５である場合には、図３（ｂ）に示すように、補正後のアイコンの画像データＡout は１９２となり、α＝０．２である場合には、図３（ｃ）に示すように、補正後のアイコンの画像データＡout は１５３となる。
【００２４】
このようにすると、図４に示すように、アイコン（高輝度の画像）を表示し続けた場合の有機ＥＬ素子の劣化特性ＳＨは、α＝０．５のときには、ＳＨ（α＝０．５）となり、α＝０．２のときには、ＳＨ（α＝０．２）となる。なお、ＳＬは、背景（低輝度の画像）を表示し続けた場合の有機ＥＬ素子の劣化特性である。図４から、αが小さいほど、焼付き寿命が延びることがわかる。
【００２５】
図５は、有機ＥＬパネルを備えた表示装置内に設けられたアイコン画像データの補正回路の構成を示している。なお、このような補正回路は、Ｒ，Ｇ，Ｂの映像信号毎に設けられているが、ここでは、１つの補正回路のみが示されている。
【００２６】
ＥＥＰＲＯＭ６には、各アイコン（固定パターン）毎に、アイコン表示用データが格納されている。１つのアイコンに対するアイコン表示用データは、そのアイコンを表示すべき表示画素位置（アイコン表示位置）を示すデータと各アイコン表示位置に表示すべきアイコン画像データＡinとから構成されている。
【００２７】
デジタルの入力映像信号Ｙinは、係数βを乗算するための第１乗算器１、アイコン画像データを加算するための加算器２および加算器２の出力をアナログ信号に変換するためのＤＡ変換器（ＤＡＣ）３を介して表示パネルに送られる。
【００２８】
入力映像信号Ｙinに含まれている同期信号は、位置情報算出部４に送られる。位置情報算出部４は、同期信号に基づいて、現在入力されている映像信号の位置情報を算出する。      
【００２９】
位置情報算出部４によって算出された入力映像信号の位置情報は、アイコン表示制御部５に与えられる。アイコン表示制御部５には、図示しない主制御装置（マイコン）から、現フレームにおいて表示すべきアイコンの種類を指定するアイコン表示制御信号も与えられる。
【００３０】
アイコン表示制御部５は、アイコン表示制御信号によって、現フレームにおいて表示すべきアイコンの種類が指定されると、ＥＥＰＲＯＭ６内のデータに基づいて指定されたアイコンを表示すべきアイコン表示位置を認識し、位置情報算出部４によって算出された入力映像信号の位置情報が、アイコン表示位置と一致したときには、当該アイコン表示位置に表示すべきアイコン画像データＡinをＥＥＰＲＯＭ６から読み出して第２乗算器７に出力する。
【００３１】
また、アイコン表示制御部５は、常時は第１乗算器１にβ＝１を選択させ、位置情報算出部４によって算出された入力映像信号の位置情報が、アイコン表示制御信号によって指定されたアイコンの表示位置と一致したときには、第１乗算器１にβ＝（１−α）を選択させるための係数制御信号を出力する。係数制御信号は、たとえば、第１乗算器１にβ＝１を選択させる場合にはＬレベルであり、第１乗算器１にβ＝（１−α）を選択させる場合にはＨレベルとなる。
【００３２】
第１乗算器１は、係数制御信号がＬレベルである場合には、β＝１として、入力映像信号Yin をそのまま通過させて、加算器２に送る。係数制御信号がＨレベルである場合には、β＝（１−α）として、入力映像信号Ｙinに（１−α）を乗算し、その乗算結果｛（１−α）×Yin ｝を加算器２に送る。αの値は、予め第１乗算器１に設定されている。
【００３３】
第２乗算器７は、アイコン表示制御部５からアイコン画像データＡinが送られてきたときには、アイコン画像データＡinにαを乗算し、その乗算結果（α×Ａin）を加算器２に送る。αの値は、予め第２乗算器７に設定されている。
【００３４】
加算器２は、第１乗算器１から送られてきたデータと、第２乗算器７から送られてきたデータとを加算する。したがって、アイコンを表示すべき表示位置に対応する映像信号Yin が入力された場合には、第１乗算器１によって入力映像信号Yin に（１−α）が乗算され、第２乗算器７によって当該アイコンに対応するアイコン画像データＡinにαが乗算され、加算器２によって、それらのデータが加算されるので、加算器２からは上記式（１）のＡout に応じたデータが出力される。そして、ＤＡＣ３によってアナログの映像信号変換された後、表示パネルに送られる。
【００３５】
アイコンが表示されない表示位置に対応する映像信号Yin が入力された場合には、その入力映像信号Yin が加算器２から出力される。そして、ＤＡＣ３によってアナログの映像信号変換された後、表示パネルに送られる。
【実施例２】
【００３６】
上記第１実施例では、背景輝度（入力映像の輝度）にかかわらず、同じ係数値αを用いて、アイコンに対応する映像信号値を補正している。このため、入力映像が低輝度の映像の場合と高輝度の映像の場合との間で、補正後のアイコンの輝度と背景の輝度との差が大きくなる。
【００３７】
そこで、第２実施例では、上記式（１）と同じ式を用いてアイコンの画像データを補正するが、背景輝度（入力映像の輝度）に応じて、係数αの値を自動的に変更させるようにしている。つまり、背景輝度が大きくなるほど、係数αが大きくなるように、αの値を制御する。ただし、背景輝度がアイコンの輝度より大きい場合には、α＝１とする。
【００３８】
図６（ａ）に示すように、アイコンの画像データＡinが２００であり、背景の映像信号値Ｙinが６４のように、背景の映像信号値Ｙinが比較的低い場合には、αを小さい値（この例ではα＝０．２）に設定する。このようにαを設定すると、補正後のアイコンの画像データＡout は９１となり、背景とアイコンとの信号差は、２７となる。
【００３９】
また、図６（ｂ）に示すように、アイコンの画像データＡinが２００であり、背景の映像信号値Ｙinが１５０のように、背景の映像信号値Ｙinが比較的高い場合には、αを大きい値（この例ではα＝０．５）に設定する。このようにαを設定すると、補正後のアイコンの画像データＡout は１７５となり、背景とアイコンとの信号差は、２５となる。
【００４０】
また、図６（ｃ）に示すように、アイコンの画像データＡinが２００であり、背景の映像信号値Ｙinが２５５のように、背景の映像信号値Ｙinがアイコンの画像データＡinより大きい場合には、αを１に設定する。
【００４１】
図７は、有機ＥＬパネルを備えた表示装置内に設けられたアイコン画像データの補正回路の構成を示している。図７において、図５と同じものには、同じ符号を付してその説明を省略する。
【００４２】
図７の補正回路では、１フレーム毎に入力映像信号Ｙinの平均値（１フレーム内の入力映像信号Ｙinの平均値）を算出するための平均値算出部１１と、平均値算出部１１によって算出された１フレーム前の映像信号平均値に基づいて、現フレームでのαの値を制御する係数値制御部１２とが設けられている。この実施例では、１フレーム前の映像信号平均値を背景輝度と見做し、１フレーム前の映像信号平均値に基づいて、係数αの値を制御している。
【００４３】
係数値制御部１２は、図８に示すような、係数値制御テーブルに基づいて、現フレームで用いられるαの値を決定して、第１乗算器１および第２乗算器７にαの値を設定する。つまり、係数値制御部１２は、１フレーム前の映像信号平均値が５０未満である場合にはαを０．１に、１フレーム前の映像信号平均値が５０以上１００未満である場合にはαを０．２に、１フレーム前の映像信号平均値が１００以上１５０未満である場合にはαを０．５に、１フレーム前の映像信号平均値が１５０以上２００未満である場合にはαを０．８に、１フレーム前の映像信号平均値が２００以上である場合にはαを１．０に決定する。
【００４４】
１フレーム内の入力映像信号Ｙinの平均値に基づいて係数αの値を制御しているが、アイコン（固定パターン）近傍の背景画像の映像信号レベルに基づいて係数αの値を制御するようにしてもよい。
【実施例３】
【００４５】
上記第１実施例では、外光照度にかかわらず、同じ係数値αを用いて、アイコンに対応する映像信号値を補正している。外光照度が低いときにアイコンの輝度を低くしてもアイコンを認識できるが、外光照度が高いときにアイコンの輝度を低くすると、アイコンを認識しにくくなる。
【００４６】
そこで、第３実施例では、上記式（１）と同じ式を用いてアイコンの画像データを補正するが、外光照度に応じて、係数αの値を自動的に変更させるようにしている。つまり、外光照度が大きくなるほど、係数αが大きくなるように、αの値を制御する。
【００４７】
図９に示すように、アイコンの画像データＡinが２００であり、背景の映像信号値Ｙinが６４である画像を表示する際において、外光照度が低い場合（１０００Ｌｘ）にはαを小さい値（この例ではα＝０．２）に設定する。外光照度が中程度の場合（１００００Ｌｘ）にはαを中程度の値（この例ではα＝０．５）に設定する。外光照度が高い場合（５００００Ｌｘ）にはαを大きな値（この例ではα＝１．０）に設定する。
【００４８】
図１０は、有機ＥＬパネルを備えた表示装置内に設けられたアイコン画像データの補正回路の構成を示している。図１０において、図５と同じものには、同じ符号を付してその説明を省略する。
【００４９】
図１０の補正回路では、外光照度を検出するための照度センサ２１と、照度センサ２１の検出信号に基づいて外光照度を算出する外光照度算出部２２と、外光照度算出部２２によって算出された外光照度に基づいて、αの値を制御する係数値制御部２３とが設けられている。
【００５０】
係数値制御部２３は、図１１に示すような、係数値制御テーブルに基づいて、現フレームで用いられるαの値を決定して、第１乗算器１および第２乗算器７にαの値を設定する。つまり、係数値制御部２３は、外光照度が１０００Ｌｘ未満である場合にはαを０．２に、外光照度が１０００Ｌｘ以上５０００Ｌｘ未満である場合にはαを０．３５に、外光照度が５０００Ｌｘ以上１００００Ｌｘ未満である場合にはαを０．５に、外光照度が１００００Ｌｘ以上５００００Ｌｘ未満である場合にはαを０．７５に、外光照度が５００００Ｌｘ以上である場合にはαを１．０に決定する。
【００５１】
１フレーム内の入力映像信号Ｙinの平均値と外光照度とに基づいて係数αの値を制御しているが、アイコン（固定パターン）近傍の背景画像の映像信号レベルと外光照度とに基づいて係数αの値を制御するようにしてもよい。
【実施例４】
【００５２】
第４実施例は、第２実施例と第３実施例とを組み合わせたものである。つまり、第４実施例では、上記式（１）と同じ式を用いて、アイコンの映像信号値を補正するが、外光照度と１フレーム前の入力映像信号の平均値とに応じて、係数αの値を自動的に変更させるようにしている。
【００５３】
図１２は、有機ＥＬパネルを備えた表示装置内に設けられたアイコン画像データの補正回路の構成を示している。図１１において、図５と同じものには、同じ符号を付してその説明を省略する。
【００５４】
図１１の補正回路では、外光照度を検出するための照度センサ２１と、照度センサ２１の検出信号に基づいて外光照度を算出する外光照度算出部２２と、１フレーム毎に入力映像信号Ｙinの平均値（１フレーム内の入力映像信号の平均値）を算出するための平均値算出部１１と、外光照度算出部２２によって算出された外光照度と平均値算出部１１によって算出された１フレーム前の映像信号平均値とに基づいて、現フレームでのαの値を制御する係数値制御部１２とが設けられている。
【００５５】
係数値制御部１２は、図１３に示すような、係数値制御テーブルに基づいて、現フレームで用いられるαの値を決定して、第１乗算器１および第２乗算器７にαの値を設定する。つまり、係数値制御部１２は、外光照度が低いほどαの値が小さくなるように、かつ１フレーム前の映像信号平均値が小さいほどαの値が小さくなるように、αを決定する。
【実施例５】
【００５６】
第５実施例では、背景輝度（１フレーム内の入力映像信号の平均値）が予め定められた閾値未満であるか閾値以上であるかによって、アイコンの映像信号値を補正するための補正式を切り換えるものである。
【００５７】
つまり、入力映像信号の平均値が閾値ＴＨ未満であるときには、次式（２）に基づいてアイコンの画像データを補正し、入力映像信号の平均値が閾値ＴＨ以上であるときには、次式（３）に基づいてアイコンの画像データを補正する。
【００５８】
Ａout ＝  α×Ａin＋（１−α）×Ｙin      …（２）
Ａout ＝−α×Ａin＋（１−α）×Ｙin      …（３）
【００５９】
Ａinはアイコンの画像データ，Ｙinは入力映像信号の平均値、Ａout はアイコンの画像データの補正値である。
【００６０】
このような補正方法では、入力映像信号の平均値（背景の映像信号値）が閾値ＴＨ以上である場合には、式（２）のみを用いてアイコンの画像データを補正する場合に比べて、アイコンの画像データを大きく低下させることができる。
【００６１】
閾値ＴＨが１２８であり、αが０．２であるとすると、図１４（ａ）に示すように、アイコンの画像データＡinが２００であり、背景の映像信号値Ｙinが６４のように、背景の映像信号値Ｙinが閾値ＴＨ未満である場合には、アイコンの画像データは上記式（２）に基づいて補正される。この結果、補正後のアイコンの画像データＡout は９１となる。
【００６２】
そして、図１４（ｂ）に示すように、アイコンの画像データＡinが２００であり、背景の映像信号値Ｙinが１８０のように、背景の映像信号値Ｙinが閾値ＴＨ以上である場合には、アイコンの画像データは上記式（３）に基づいて補正される。この結果、補正後のアイコンの画像データＡout は１０４となる。
【００６３】
図１５は、有機ＥＬパネルを備えた表示装置内に設けられたアイコン画像データの補正回路の構成を示している。図１５において、図５と同じものには、同じ符号を付してその説明を省略する。
【００６４】
図１５の補正回路では、１フレーム毎に入力映像信号Ｙinの平均値を算出するための平均値算出部３１と、平均値算出部３１によって算出された１フレーム前の映像信号平均値が閾値ＴＨ未満であるか閾値ＴＨ以上であるかを判別して、その判別結果を表す制御信号を出力する比較器３２とが設けられている。比較器３２の制御信号は、第２乗算器７に与えられる。
【００６５】
第１乗算器１および第２乗算器７には、予めαが設定されている。第２乗算器７は、比較器３２の制御信号が１フレーム前の映像信号平均値が閾値ＴＨ未満であることを示している場合には、アイコン表示制御部５から送られてきたアイコン画像データＡinにαを乗算する。比較器３２の制御信号が１フレーム前の映像信号平均値が閾値ＴＨ以上であることを示している場合には、アイコン表示制御部５から送られてきたアイコン画像データＡinに−αを乗算する。
【００６６】
１フレーム内の入力映像信号の平均値が予め定められた閾値未満であるか閾値以上であるかによって、アイコンの映像信号値を補正するための補正式を切り換えているが、アイコン（固定パターン）近傍の背景画像の映像信号レベルが閾値未満であるか閾値以上であるかによって、アイコンの映像信号値を補正するための補正式を切り換えるようにしてもよい。
【００６７】
なお、１フレーム内の入力映像信号の平均値（またはアイコン近傍の背景画像の映像信号レベル）が閾値ＴＨ未満であるときには、次式（４）に基づいてアイコンの映像信号値を補正し、１フレーム内の入力映像信号の平均値（またはアイコン近傍の背景画像の映像信号レベル）が閾値ＴＨ以上であるときには、次式（５）に基づいてアイコンの映像信号値を補正してもよい。
【００６８】
Ａout ＝  α×Ａin＋γ×Ｙin      …（４）
Ａout ＝−α×Ａin＋γ×Ｙin      …（５）
【００６９】
γは係数である。閾値ＴＨが１２８であり、αが０．２であり、γが１．０であるとすると、図１６（ａ）に示すように、アイコンの画像データＡinが２００であり、背景の映像信号値Ｙinが６４のように、背景の映像信号値Ｙinが閾値ＴＨ未満である場合には、アイコンの画像データは上記式（４）に基づいて補正される。この結果、補正後のアイコンの画像データＡout は１０４となる。  
【００７０】
そして、図１６（ｂ）に示すように、アイコンの画像データＡinが２００であり、背景の映像信号値Ｙinが１８０のように、背景の映像信号値Ｙinが閾値ＴＨ以上である場合には、アイコンの画像データは上記式（５）に基づいて補正される。この結果、補正後のアイコンの画像データＡout は１４０となる。
【００７１】
このように補正を行う場合には、図１５の第１乗算器１には、αの代わりにγが予め設定される。そして、アイコンが表示されない際には、第１乗算器１の乗算係数βはβ＝１となり、アイコンが表示される際には、第１乗算器１の乗算係数βはβ＝γとなる。なお、γが１に設定される場合には、第１乗算器１は不要となる。
【図面の簡単な説明】
【００７２】
【図１】背景等の低輝度の画像を表示し続けた場合の有機ＥＬ素子の劣化特性ＳＬと、文字等の高輝度の画像を表示し続けた場合の有機ＥＬ素子の劣化特性ＳＨとを示すグラフである。
【図２】文字部分が焼き付き映像として視認されることを示す模式図である。
【図３】第１実施例の考え方を説明するための模式図である。
【図４】第１実施例の効果を説明するためのグラフである。
【図５】第１実施例を実現するためのアイコン画像データの補正回路を示すブロック図である。
【図６】第２実施例の考え方を説明するための模式図である。
【図７】第２実施例を実現するためのアイコン画像データの補正回路を示すブロック図である。
【図８】図７の係数値制御部１２に設定されている係数値制御テーブルの内容を示す模式図である。
【図９】第３実施例の考え方を説明するための模式図である。
【図１０】第３実施例を実現するためのアイコン画像データの補正回路を示すブロック図である。
【図１１】図１０の係数値制御部２３に設定されている係数値制御テーブルの内容を示す模式図である。
【図１２】第４実施例を実現するためのアイコン画像データの補正回路を示すブロック図である。
【図１３】図１２の係数値制御部１２に設定されている係数値制御テーブルの内容を示す模式図である。
【図１４】第５実施例の考え方を説明するための模式図である。
【図１５】第４実施例を実現するためのアイコン画像データの補正回路を示すブロック図である。
【図１６】第５実施例の変形例を説明するための模式図である。
【符号の説明】
【００７３】
１  第１乗算器
２  加算器
３  ＤＡＣ
４  位置情報算出部
５  アイコン表示制御部
６  ＥＥＰＲＯＭ
７  第２乗算器
１１、３１  平均値算出部
１２、２３  係数値制御部
２１  照度センサ
２２  外光照度算出部
３２  比較器
【図１】
2005283909.tif 000003
【図２】
2005283909.tif 000004
【図３】
2005283909.tif 000005
【図４】
2005283909.tif 000006
【図５】
2005283909.tif 000007
【図６】
2005283909.tif 000008
【図７】
2005283909.tif 000009
【図８】
2005283909.tif 000010
【図９】
2005283909.tif 000011
【図１０】
2005283909.tif 000012
【図１１】
2005283909.tif 000013
【図１２】
2005283909.tif 000014
【図１３】
2005283909.tif 000015
【図１４】
2005283909.tif 000016
【図１５】
2005283909.tif 000017
【図１６】
2005283909.tif 000018